(57)【要約】【課題】ルーバーの駆動機構をコンパクトに枠内に組込みやすくし、木製のルーバーに好適な可動ルーバーの提供を目的とする。【解決手段】左右の縦枠の一方は、羽根の回動操作をする機構収納縦枠に形成し、他方の縦枠は羽根の端部に設けた回動軸を軸支する軸受縦枠に形成し、羽根の機構収納縦枠側には、回動軸と、当該回動軸から所定の距離を隔てて設けた偏心ピンを有し、機構収納縦枠は、ピニオンと連結した回動円板と、当該ピニオンと歯合したラックを有するスライド操作部と、それぞれの羽根の偏心ピンを軸連結した１枚の連結バーを有して、回動円板は回動することで連結バーを揺動するように連結バーに軸連結し、スライド操作部のスライド操作により、回動円板が回動し、回動円板の回転により連結バーが揺動し、当該連結バーに軸連結した羽根の偏心ピンが従動して、それぞれの羽根が同期して回動するものであることを特徴とする。【選択図】  図１
0003138124.tif 000002
【実用新案登録請求の範囲】
【請求項１】
左右の縦枠と上下の横枠とで枠体を形成し、枠体内に回動自在に複数の羽根を並設して備える可動ルーバーであって、
左右の縦枠の一方は、羽根の回動操作をする機構収納縦枠に形成し、他方の縦枠は羽根の端部に設けた回動軸を軸支する軸受縦枠に形成してあり、
それぞれの羽根の機構収納縦枠側には、回動軸と、当該回動軸から所定の距離を隔てて設けた偏心ピンを有し、
機構収納縦枠は、ピニオンと連結した回動円板と、当該ピニオンと歯合したラックを有するスライド操作部と、それぞれの羽根の偏心ピンを軸連結した１枚の連結バーを有し、
回動円板は回動することで連結バーを揺動するように偏心位置に設けた駆動ピンを連結バーに軸連結してあり、
スライド操作部のスライド操作により、回動円板が回動し、回動円板の回転により回動円板の駆動ピンが円弧軌道を描いて連結バーが揺動し、当該連結バーに軸連結した羽根の偏心ピンが従動して円弧軌道を描き、それぞれの羽根が同期して回動するものであることを特徴とする回動ルーバー。
【請求項２】
機構収納縦枠は、ブロック収納凹部を設けて、当該ブロック収納凹部に収納する回動機能ブロックを有し、回動機能ブロックにピニオンとピニオンに連結した回動円板を設け、当該ブロック収納凹部を覆うようにスライド操作部及びカバーを設けたものであることを特徴とする請求項１記載の可動ルーバー。
【請求項３】
機構収納縦枠には、羽根側に羽根の回動軸を軸支する軸受バーと連結バーを挿入する連結バー移動溝を形成してあり、当該連結バー移動溝に配置した連結バーと連結したそれぞれの羽根の偏心ピンの円弧軌道をガイドする偏心ピン移動孔を当該軸受バーに形成してあることを特徴とする請求項１又は２に記載の可動ルーバー。
【考案の詳細な説明】
【技術分野】
【０００１】
本考案は、可動ルーバーに関し、特に木製のルーバーに好適である。
【背景技術】
【０００２】
住宅など建築物の開口部や建具などの開口部に取り付けて、羽根の傾斜により羽根間の開口量を調整し、調光、視認性調整、換気調整などを行う可動ルーバーが公知である。
このような可動ルーバーでは、取り付け対象の建築物や建具に合わせた意匠性、質感が求められる。
例えば木組み状に形成してある取付け対象物の場合には、可動ルーバーにも同様に木組み状の外観と質感が要求されることがあるが、木組み状の外観と質感を有しながらルーバーの枠部分に羽根の駆動機構を設けることが難しかった。
特開２００３−１４８０６７号公報には木製ルーバ技術を開示するが、開閉操作するための連動棒が外部に剥き出しになって外観意匠性を損なう問題があった。
【０００３】
【特許文献１】特開２００３−１４８０６７号公報
【考案の開示】
【考案が解決しようとする課題】
【０００４】
本考案は上記技術的課題に鑑みて、ルーバーの駆動機構をコンパクトに枠内に組込みやすくし、木製のルーバーに好適な可動ルーバーの提供を目的とする。
【課題を解決するための手段】
【０００５】
本考案に係る可動ルーバーは、左右の縦枠と上下の横枠とで枠体を形成し、枠体内に回動自在に複数の羽根を並設して備える可動ルーバーであって、左右の縦枠の一方は、羽根の回動操作をする機構収納縦枠に形成し、他方の縦枠は羽根の端部に設けた回動軸を軸支する軸受縦枠に形成してあり、それぞれの羽根の機構収納縦枠側には、回動軸と、当該回動軸から所定の距離を隔てて設けた偏心ピンを有し、機構収納縦枠は、ピニオンと連結した回動円板と、当該ピニオンと歯合したラックを有するスライド操作部と、それぞれの羽根の偏心ピンを軸連結した１枚の連結バーを有し、回動円板は回動することで連結バーを揺動するように偏心位置に設けた駆動ピンを連結バーに軸連結してあり、スライド操作部のスライド操作により、回動円板が回動し、回動円板の回転により回動円板の駆動ピンが円弧軌道を描いて連結バーが揺動し、当該連結バーに軸連結した羽根の偏心ピンが従動して円弧軌道を描き、それぞれの羽根が同期して回動するものであることを特徴とする。
【０００６】
本考案において機構収納縦枠は、ブロック収納凹部を設けて、当該ブロック収納凹部に収納する回動機能ブロックを有し、回動機能ブロックにピニオンとピニオンに連結した回動円板を設け、当該ブロック収納凹部を覆うようにスライド操作部及びカバーを設けたものであるとよい。
【０００７】
本考案においてさらに、機構収納縦枠には、羽根側に羽根の回動軸を軸支する軸受バーと連結バーを挿入する連結バー移動溝を形成してあり、当該連結バー移動溝に配置した連結バーと連結したそれぞれの羽根の偏心ピンの円弧軌道をガイドする偏心ピン移動孔を当該軸受バーに形成してあるとよい。
【考案の効果】
【０００８】
本考案に係る木製の可動ルーバーにおいては、羽根の駆動機構を木製の枠内に収納したので、外観全体を木製の質感に統一できるため、木製の建築物や建具との調和がとれやすい。
ラックアンドピニオン機構で摘みのスライド操作力を、羽根を傾斜回動する回動力に変換する部品点数が少なく、コンパクトにできる。
【０００９】
特に、回動円板の偏心位置に設けた駆動ピンで連結バーを揺動して、この連結バーに軸連結した羽根の偏心ピンを駆動することで羽根を同期して傾斜回動すると、少ない部品点数でコンパクトに羽根の傾斜回動構造を形成できる。
【００１０】
機構収納縦枠と軸受縦枠の両端部にはそれぞれほぞ差し構造により横枠を連結して枠体を形成すると、木組み状外観となるため、木製の建築物や建具への取付けに適するようになる。
また、大きさや厚みの設定も容易であり、各種開口部に取り付けることもできる。
【考案を実施するための最良の形態】
【００１１】
図１（ａ）は本考案に係る木製の可動ルーバー（以下、単にルーバーと称する）１０の斜視図を示し、図１（ｂ）は分解図を示す。
ルーバー１０は、機構収納縦枠３０と木製の軸受縦枠１２の両端部にそれぞれ木製の横枠１３を連結した枠体１１の枠体開口部１１ａに、木製羽根（以下、単に羽根と称する）２０を所定ピッチで平行に軸支してある。
羽根２０は、一端を機構収納縦枠３０に軸支し、他端を軸受縦枠１２に軸支し、後述するように機構収納縦枠３０内で連結してあり、互いに平行状態で同期傾斜する。
使用者は、枠体正面１１ｂ側に設けてある摘み７２をスライドする操作で羽根２０を同期傾斜し、枠体開口部１１ａにおける羽根２０間の開口量を調整する。
ルーバー１０の枠体１１は、機構収納縦枠３０にほぞ穴３０ａと軸受縦枠１２にほぞ穴１２ｂを設けて、横枠１３の両端にほぞ１３ａを設けて、ほぞ１３ａをほぞ穴３０ａ、１２ｂに差し嵌める木組みにより形成してある。
図５は羽根２０の外観図を示す。
羽根２０は、羽根板部２１の機構収納縦枠３０側と軸受縦枠１２側に回動軸２２を突出している。
機構収納縦枠３０側には回動軸２２から偏心した偏心ピン２３を有している。
後述するようにこの偏心ピン２３は摘み７２からの駆動力を連結バー５０を介して受けて、羽根３０を駆動する。
図２は機構収納縦枠３０の組立状態の説明図を示す。
機構収納縦枠３０は、角材状で両端部にほぞ穴３０ａを有し、横枠１３を連結するベース部４０に、ベース部４０の長手方向の溝形に凹ませた連結バー移動溝４１と、連結バー移動溝４１に枠体開口部１１ａと反対側から円板用連通部４３で連通するように凹ませたブロック収納凹部４２と連通部４６ａで連通して凹ませた補助ブロック収納凹部４６とを形成してある。
この、連結バー移動溝４１とブロック収納凹部４２と補助ブロック収納凹部４６とは、木製のベース部４０を例えば枠体正面側から切削して形成する。
連結バー移動溝４１はベース部４０の長手方向に通しの溝形に切削して、この溝形の両端部を塞ぎ材４５で塞いで形成してあり、ほぞ穴３０ａはこの塞ぎ材４５を抜くように形成してある。
【００１２】
図３は、羽根２０の機構収納縦枠３０への取付け状態と羽根２０の動作状態の説明図を示す。
図３では、わかりやすくするため要部のみを描き、羽根２０は回動軸２２と偏心ピン２３のみを描いてある。
図３（ａ）は摘み７２の位置を摘み用開口部８１の中央位置とし、後述するように羽根２０を開き位置とした状態で、図３（ｂ）（ｃ）は摘み７２の位置を摘み用開口部８１の端位置として、羽根２０を閉じ位置とした状態を示す。
図２（ａ）に示すように、ベース部４０には軸受バー４４が、連結バー移動溝４１を形成することで枠体開口部１１ａと連結バー移動溝４１との間に立設するように形成されている。
軸受バー４４には羽根２０の回動軸２２を軸支する軸受孔４４ａを所定ピッチで設けてあり、各軸受孔４４ａの周りには偏心ピン移動孔４４ｂを設けてある。
図３に示すように、偏心ピン移動孔４４ｂには、軸受孔４４ａに軸支した羽根２０の偏心ピン２３をそれぞれ通してあり、羽根２０がそれぞれ回動するに伴って偏心ピン２３が移動できるように円弧形に軸受バー４４を貫通してある。
この軸受バー４４は、図２に示すように連結バー移動溝４１側に補強板４０ａを貼着した上で、軸受孔４４ａと偏心ピン移動孔４４ｂを加工形成して強度を高めるとよい。
この補強板４０ａとしては、例えば伸縮の少ない高圧メラミン板などが考えられる。
そして、図２（ａ）に示すように連結バー移動溝４１には連結バー５０を挿入する。
連結バー５０には、軸受孔４４ａと同じピッチで偏心ピン孔５０ａを設け、所定位置に駆動ピン孔５０ｂと補助ピン孔５０ｃとを設けてある。
連結バー５０の偏心ピン孔５０ａには、羽根２０の偏心ピン２３を軸受バー４４の偏心ピン移動孔４４ｂを通して挿入してある。
羽根２０は、回動軸２２を機構収納縦枠の軸受バー４４に軸支して、互いに平行となるように偏心ピン２３を連結バー５０の偏心ピン孔５０ａにそれぞれ挿入してある。
これにより、羽根２０と軸受バー４４と連結バー５０とで羽根２０が平行に同期傾斜する平行リンク機構を形成する。
図２（ｂ）に示すように、ブロック収納凹部４２には回動機能ブロック６０とスライド操作部７０とを、回動機能ブロック６０の枠体正面１１ｂ側にスライド操作部７０を重ねて挿入してある。
また、補助ブロック収納凹部４６には補助ブロック９０を挿入してある。
図２（ｃ）に示すように、木製のカバー８０はベース部に接着などで取り付けてブロック収納凹部４２と連結バー移動溝４１とを覆う。
このカバー８０は、ブロック収納凹部４２位置に摘み用開口部８１を有して、摘み７２は摘み用開口部８１に突出する。
摘み用開口部８１から見えるスライド板部７１は木製であり、カバー８０もベース部４０も木製であるため機構収納縦枠３０は木製の外観に統一される。
連結バー５０は、偏心ピン移動孔４４ｂを通して外部から見えるため木製にするのが好ましく、摘み７２も木製にしてルーバー１０の外観を統一すると良い。
機構収納縦枠３０はベース部４０の、図１に示す枠体開口部１１ａ寄り部分を枠体正面１１側から切削するなどして凹ませた中に部品類を収納してあるため、ほとんど木製であり、枠体１１の外側部分は所定幅分、木材加工可能となっている。
軸受縦枠１２と横枠１３は木製であるため、枠体１１の外側部分は例えば現場合わせなどで組み付けのための加工を簡単に行うことができる。
【００１３】
回動機能ブロック６０は、枠体正面側に摺動面６２を有するブロック部６１と、ブロック部６１に設けたブロック凹部６１ａから摺動面６２側に突出するように駆動軸６４で軸支してあるピニオン６３と、ピニオン６３に軸連結してある回動円板６５とを有している。
駆動軸６４は羽根２０の回動軸２２と平行となるように設けてある。
回動円板６５は、駆動軸６４と偏心した位置に偏心孔６５ａを有して、円板用連通部４３に配置して連結バー移動溝４１に臨ませてある。
そして回動円板６５の偏心孔６５ａには駆動ピン６５ｂが嵌着してあり、駆動ピン６５ｂは回動円板６５の回動で連結バー５０を揺動させるように連結バー５０に設けた駆動ピン孔５０ｂに挿入してある。
図２（ｂ）に示すように、補助ブロック９０の補助円板９３の偏心孔９３ａには補助ピン９３ｂが嵌着してあり、補助ピン９３ｂはこの揺動する連結バー５０に補助円板９３を回動させて従動しつつ軸支するように連結バー５０の補助ピン孔５０ｃに挿入してある。
この回動円板６５の駆動軸６４と駆動ピン６５ｂ、及び補助円板９３の軸９２と補助ピン９３ｂは羽根２０と軸受バー４４と連結バー５０とともに、羽根２０を平行に同期傾斜する平行リンク機構を形成するように配設してある。
スライド操作部７０は、木製のスライド板部７１とスライド板部７１の枠体正面側に設けた摘み７２と、スライド板部７１の回動機能ブロック６０側に設けたラック７３とを有している。
スライド操作部７０は回動機能ブロック６０に重ねてあることでラック７３を回動機能ブロック６０のピニオン６３に歯合してあり、摘み７２のスライド操作によりラック７３を回動機能ブロック６０の摺動面６２に沿って摺動することで、ピニオン６３を回動可能としてある。
スライド操作部のスライド板部７１のスライド方向長さは、回動機能ブロック６０の摺動面６２のスライド方向長さより短くしてあり、スライド操作部７０はカバー８０をベース部４０に取り付けた状態でカバー８０と摺動面６２に挟まれて、スライド範囲内において外れないよう保持される。
ルーバー１０は、後述するようにスライド操作部７０の摘み７２をスライド操作することでピニオン６３を回動し、それにより回動円板６５を回動することで駆動ピン６５ｂを円弧状に駆動して、羽根２０の偏心ピン２３を連結してある連結バー５０を揺動して羽根２０を同期して傾斜回動する。
【００１４】
摘み７２をスライド操作することで、羽根２０を同期して傾斜回動する構造について説明する。
図４は、図３に対応させて回動機能ブロック６０付近を枠体正面１１ｂ側からと羽根２０側から見た要部説明図を示す。
図３（ａ）、（ｂ）、（ｃ）に対応して、図４（ａ）、（ｂ）、（ｃ）は枠体正面側から見た説明図を示し、図４（ｄ）、（ｅ）、（ｆ）は羽根側から見た説明図を示す。
摘み７２をスライド操作して移動すると、図４（ｂ）、（ｅ）あるいは図４（ｃ）、（ｆ）に示すようにスライド操作部７０のラック７３が摺動面６２を摺動しつつピニオン６３を回動し、ピニオン６３の回動によって回動円板６５を回動させる。
羽根２０の偏心ピン２３は図３、図４に示すように連結バー５０の偏心ピン孔５０ａに挿入してある。
回動円板６５の駆動軸６４は、図２に示す補助円板９３の軸９２とともに羽根２０の回動軸２２と平行で、回動軸２２を並設した面高さに合わせてあり、回動円板６５の回動による駆動ピン６５ｂの回動半径と、補助円板９３の回動による補助ピン９３ｂの回動半径はともに、羽根２０の回動による偏心ピン２３の回動半径と等しくしてある。
そして連結バー５０への駆動ピン６５ｂの軸連結位置と補助ピン９３ｂの軸連結位置は、駆動ピン６５ｂの駆動軸６４に対する角度と、補助ピン９３ｂの軸９２に対する角度とが、偏心ピン２３の回動軸２２に対する角度に等しくなるようにしてある。
これにより、羽根２０と軸受バー４４と連結バー５０、及び回動円板６５と補助円板９３とで、軸受バー４４を固定した平行リンク機構を形成してある。
よって、回動円板６５が回動することで、回動円板６５の駆動ピン６５ｂの円弧方向の駆動力を受けて、連結バー５０を揺動して、連結バー５０に軸連結した羽根２０を同期して傾斜回動する。
補助ブロック９０は、連結バー５０を安定して揺動するためのもので、必ずしも設けなくてもよい。
この回動円板の回動による羽根の傾斜回動は、回動円板を１つの羽根の回動軸と軸中心を合わせて軸支配置して、回動円板にこの羽根の偏心ピンを軸支する偏心孔を設けて、他の羽根の偏心ピンも１枚の連結バーにて軸連結して、回動円板の回動により回動円板に連結した偏心ピンが円弧軌道を描き、この偏心ピンと連結バーにて軸連結した他の羽根の偏心ピンが従動して円弧軌道を描き、それぞれの羽根が同期して回動するものとしてもよい。
【図面の簡単な説明】
【００１５】
【図１】（ａ）は本考案に係る木製可動ルーバーの斜視図を示し、（ｂ）は分解図を示す。
【図２】機構収納縦枠の組立状態の説明図を示す。
【図３】羽根の機構収納縦枠への取付け状態と羽根の動作状態の説明図を示す。
【図４】回動機能ブロック付近を正面側からと羽根側から見て要部を描いた説明図を示す。
【図５】羽根の外観図を示す。
【符号の説明】
【００１６】
１０    可動ルーバー
１１    枠体
１１ａ  枠体開口部
１１ｂ  枠体正面
１２    軸受縦枠
１２ａ  軸受孔
１２ｂ  ほぞ穴
１３    横枠
１３ａ  ほぞ
２０    羽根
２１    羽根板部
２２    回動軸
２３    偏心ピン
３０    機構収納縦枠
３０ａ  ほぞ穴
４０    ベース部
４０ａ  補強板
４１    連結バー移動溝
４２    ブロック収納凹部
４３    円板用連通部
４４    軸受バー
４４ａ  軸受孔
４４ｂ  偏心ピン移動孔
４５    塞ぎ材
４６    補助ブロック収納凹部
４６ａ  連通部
５０    連結バー
５０ａ  偏心ピン孔
５０ｂ  駆動ピン孔
５０ｃ  補助ピン孔
６０    回動機能ブロック
６１    ブロック部
６１ａ  ブロック凹部
６２    摺動面
６３    ピニオン
６４    駆動軸
６５    回動円板
６５ａ  偏心孔
６５ｂ  駆動ピン
７０    スライド操作部
７１    スライド板部
７２    摘み
７３    ラック
８０    カバー
８１    摘み用開口部
９０    補助ブロック
９１    ブロック部
９２    軸
９３    補助円板
９３ａ  偏心孔
９３ｂ  補助ピン
【図１】
0003138124.tif 000003
【図２】
0003138124.tif 000004
【図３】
0003138124.tif 000005
【図４】
0003138124.tif 000006
【図５】
0003138124.tif 000007